(57)【要約】【課題】装置の構成を複雑化することなく上り方向の通信信号を伝送すること。【解決手段】一方の送受信装置は、映像信号を所定の周波数帯に変換する第１変換手段と、所定の周波数帯に変換された映像信号を他方の送受信装置に対して送信する第１送信手段と、加入者側から送信される通信信号を受信する第１受信手段と、通信信号を所定の周波数帯よりも低い周波数帯に変換する第２変換手段と、を有し、他方の送受信装置は、映像信号を受信する第２受信手段と、映像信号を所定の周波数帯よりも低い周波数帯に変換する第３変換手段と、通信信号を所定の周波数帯に変換する第４変換手段と、通信信号を一方の送受信装置に対して送信する第２送信手段と、を有し、第４変換手段によって生成されるスプリアス信号の少なくとも１つが所定の周波数帯に含まれる。【選択図】図１
2018148322.tif 000002
【特許請求の範囲】
【請求項１】
所定の周波数帯を用いて一方の送受信装置と他方の送受信装置との間で無線により情報を送受信する送受信システムにおいて、
前記一方の送受信装置は、
映像信号を前記所定の周波数帯に変換する第１変換手段と、
前記第１変換手段によって前記所定の周波数帯に変換された前記映像信号を前記他方の送受信装置に対して送信する第１送信手段と、
前記他方の送受信装置から送信される通信信号を受信する第１受信手段と、
前記第１受信手段によって受信された前記通信信号の周波数を、前記所定の周波数帯より低い周波数帯に変換する第２変換手段と、を有し、
前記他方の送受信装置は、
前記第１送信手段によって送信された前記映像信号を受信する第２受信手段と、
前記第２受信手段によって受信された前記映像信号の周波数を、前記所定の周波数帯より低い前記周波数帯に変換する第３変換手段と、
前記通信信号を前記所定の周波数帯に変換する第４変換手段と、
前記第４変換手段によって前記所定の周波数帯に変換された前記通信信号を前記一方の送受信装置に対して送信する第２送信手段と、を有し、
前記第４変換手段によって生成されるスプリアス信号の少なくとも１つが前記所定の周波数帯に含まれることを特徴とする送受信システム。
【請求項２】
前記一方の送受信装置は、
前記所定の周波数帯に含まれる前記スプリアス信号に基づいて前記通信信号の信号レベルを増減する増減手段を有する、
ことを特徴とする請求項１に記載の送受信システム。
【請求項３】
前記一方の送受信装置は、
パイロット信号を前記映像信号に付加する付加手段を有し、
前記他方の送受信装置は、
前記第３変換手段が、前記パイロット信号に基づいて前記映像信号を前記所定の周波数帯より低い前記周波数帯に変換し、
前記第４変換手段が、前記パイロット信号に基づいて前記通信信号を前記所定の周波数帯に変換する、
ことを特徴とする請求項１または２に記載の送受信システム。
【請求項４】
前記映像信号は、第１の周波数帯および前記第１の周波数帯より高い帯域を有する第２の周波数帯の前記映像信号を含み、
前記第１送信手段は、前記第１および第２の周波数帯の前記映像信号を偏波多重して送信する、
ことを特徴とする請求項１乃至３のいずれか１項に記載の送受信システム。
【請求項５】
前記所定の周波数帯は、２３ＧＨｚ帯であることを特徴とする請求項１乃至４のいずれか１項に記載の送受信システム。
【発明の詳細な説明】
【技術分野】
【０００１】
本発明は、送受信システムに関するものである。
【背景技術】
【０００２】
近年、ＣＡＴＶ（Community Antenna Television）や地上デジタル放送等の難視聴地域に対する信号の配信や、災害時における一時的な配信を目的として、ＣＡＴＶ信号や地上デジタル放送信号等を無線中継するシステムに対する需要が高まっている。
【０００３】
特許文献１に開示された技術では、送信装置において、伝送信号（ＢＳ／ＣＳ−ＩＦ）とパイロット信号とをミリ波帯へアップコンバートして無線送信し、受信装置では、受信信号をダウンコンバートして、受信伝送信号と受信パイロット信号とに分離する。また、受信装置では、送信装置側で生成されるパイロット信号と同一周波数の補正用基準信号（ＳＢＡＳＥ）を生成し、この信号と受信パイロット信号との周波数の差の周波数を有する補正信号を生成し、この補正信号を用いて受信伝送信号の周波数を補正することにより、元の伝送信号を復元する。
【先行技術文献】
【特許文献】
【０００４】
【特許文献１】特開２００５−３２３３４１号公報
【発明の概要】
【発明が解決しようとする課題】
【０００５】
ところで、近年では、例えば、インターネット等の上り方向（加入者側からセンタ側装置の方向）の通信信号を無線通信によって伝送する要求が高まっている。しかしながら、特許文献１に開示された従来技術では、上り方向に対する伝送を実現することができないという問題点がある。
【０００６】
また、上り方向の通信信号を伝送する場合、通信信号の周波数特性に起因して、装置の構成が複雑になるという問題点もある。
【０００７】
本発明は、以上の点に鑑みてなされたものであり、装置の構成を複雑化することなく、上り方向の通信信号を伝送することが可能な送受信システムを提供することを目的としている。
【課題を解決するための手段】
【０００８】
上記課題を解決するために、本発明は、所定の周波数帯を用いて一方の送受信装置と他方の送受信装置との間で無線により情報を送受信する送受信システムにおいて、前記一方の送受信装置は、映像信号を前記所定の周波数帯に変換する第１変換手段と、前記第１変換手段によって前記所定の周波数帯に変換された前記映像信号を前記他方の送受信装置に対して送信する第１送信手段と、前記他方の送受信装置から送信される通信信号を受信する第１受信手段と、前記第１受信手段によって受信された前記通信信号の周波数を、前記所定の周波数帯より低い周波数帯に変換する第２変換手段と、を有し、前記他方の送受信装置は、前記第１送信手段によって送信された前記映像信号を受信する第２受信手段と、前記第２受信手段によって受信された前記映像信号の周波数を、前記所定の周波数帯より低い前記周波数帯に変換する第３変換手段と、前記通信信号を前記所定の周波数帯に変換する第４変換手段と、前記第４変換手段によって前記所定の周波数帯に変換された前記通信信号を前記一方の送受信装置に対して送信する第２送信手段と、を有し、前記第４変換手段によって生成されるスプリアス信号の少なくとも１つが前記所定の周波数帯に含まれることを特徴とする送受信システム。
このような構成によれば、装置の構成を複雑化することなく、上り方向の通信信号を伝送することが可能となる。
【０００９】
また、本発明は、前記一方の送受信装置は、前記所定の周波数帯に含まれる前記スプリアス信号に基づいて前記通信信号の信号レベルを増減する増減手段を有する、ことを特徴とする。
このような構成によれば、簡易な構成により、通信信号の信号レベルを一定に保つことができる。
【００１０】
また、本発明は、前記一方の送受信装置は、パイロット信号を前記映像信号に付加する付加手段を有し、前記他方の送受信装置は、前記第３変換手段が、前記パイロット信号に基づいて前記映像信号を前記所定の周波数帯より低い前記周波数帯に変換し、前記第４変換手段が、前記パイロット信号に基づいて前記通信信号を前記所定の周波数帯に変換する、ことを特徴とする請求項１または２に記載の送受信システム。
このような構成によれば、パイロット信号に基づいて周波数変換を行うことで、センタ側装置との間の同期を図るとともに、発振器の数を減らすことで、構成を簡略化することができる。
【００１１】
また、本発明は、前記映像信号は、第１の周波数帯および前記第１の周波数帯より高い帯域を有する第２の周波数帯の前記映像信号を含み、前記第１送信手段は、前記第１および第２の周波数帯の前記映像信号を偏波多重して送信する、ことを特徴とする。
このような構成によれば、第１の周波数帯および第２の周波数帯の映像信号を限られた周波数帯を用いて伝送することが可能になる。
【００１２】
また、本発明は、前記所定の周波数帯は、２３ＧＨｚ帯であることを特徴とする。
このような構成によれば、規定の周波数帯を用いて映像信号のみならず、通信信号も伝送することが可能になる。
【発明の効果】
【００１３】
本発明によれば、装置の構成を複雑化することなく、上り方向の通信信号を伝送することが可能な送受信システムを提供することができる。
【図面の簡単な説明】
【００１４】
【図１】本発明の実施形態に係る送受信システムの構成例を示す図である。
【図２】図１に示すセンタ側装置および加入者側装置の構成例を示す図である。
【図３】図２に示すＵＨＦ送信部の詳細な構成例を示す図である。
【図４】図２に示すＶＨＦ送信部の詳細な構成例を示す図である。
【図５】図２に示すＵＨＦ受信部の詳細な構成例を示す図である。
【図６】図２に示すＶＨＦ受信部の詳細な構成例を示す図である。
【図７】図２に示す通信信号送信部の詳細な構成例を示す図である。
【図８】図２に示す通信信号受信部の詳細な構成例を示す図である。
【図９】図１に示す実施形態の動作を説明するための図である。
【図１０】図１に示す実施形態の動作を説明するための図である。
【発明を実施するための形態】
【００１５】
次に、本発明の実施形態について説明する。
【００１６】
（Ａ）本発明の実施形態の構成の説明
図１は、本発明の実施形態に係る送受信システムの構成例を示す図である。この図１に示すように、本発明の実施形態に係る送受信システムは、センタ側装置１０、アンテナ２０，３０、および、加入者側装置４０を主要な構成要素としている。なお、送受信システムは、例えば、離島等の難視聴地域や、震災等によってインフラが毀損された地域に対して、映像配信および通信サービスを提供することを目的として設置されるシステムである。
【００１７】
ここで、センタ側装置１０は、９０〜７７０ＭＨｚ帯の映像信号を、２３ＧＨｚ帯（２３．２〜２３．６ＧＨｚ）の電波に変換して、アンテナ２０を介して送信するとともに、加入者側装置４０から送信された２３ＧＨｚ帯の通信信号を受信し、ネットワーク（例えば、インターネット）に対して送信する。なお、以下では便宜上、９０〜７７０ＭＨｚ帯の映像信号のうち、相対的に周波数が低い周波数帯域（例えば、９０ＭＨｚ〜４０２ＭＨｚ）をＶＨＦ帯、相対的に周波数が高い周波数帯域（例えば、４０２ＭＨｚ〜７７０ＭＨｚ）をＵＨＦ帯と呼ぶ。
【００１８】
アンテナ２０は、例えば、パラボラアンテナ等によって構成され、センタ側装置１０から供給される信号を電波としてアンテナ３０に向けて送信するとともに、アンテナ３０から伝送される電波を受信してセンタ側装置１０に供給する。
【００１９】
アンテナ３０は、例えば、パラボラアンテナ等によって構成され、加入者側装置４０から供給される信号を電波としてアンテナ２０に向けて送信するとともに、アンテナ２０から伝送される電波を受信して加入者側装置４０に供給する。
【００２０】
加入者側装置４０は、例えば、加入者宅に配置され、アンテナ３０によって受信された信号を復調し、例えば、テレビ受像機およびパーソナルコンピュータに供給するとともに、パーソナルコンピュータから供給される通信信号を電気信号に変換してアンテナ３０に供給する。
【００２１】
図２は、図１に示すセンタ側装置１０および加入者側装置４０の詳細な構成例を示す図である。図２に示すように、センタ側装置１０は、ＵＨＦ送信部１１、ＶＨＦ送信部１２、および、通信信号受信部１３を主要な構成要素とする。
【００２２】
ここで、ＵＨＦ送信部１１は、ＵＨＦ帯の映像信号を２３ＧＨｚ帯に変換し、水平偏波した電波としてアンテナ２０から送信する。ＶＨＦ送信部１２は、ＶＨＦ帯の映像信号を２３ＧＨｚ帯に変換し、垂直偏波した電波としてアンテナ２０から送信する。通信信号受信部１３は、アンテナ２０によって受信された通信信号を元の周波数に変換し、例えば、インターネット等のネットワーク等に対して出力する。
【００２３】
加入者側装置４０は、ＵＨＦ受信部４１、ＶＨＦ受信部４２、および、通信信号送信部４３を主要な構成要素とする。
【００２４】
ＵＨＦ受信部４１は、ＵＨＦ送信部１１から送信された２３ＧＨｚ帯の映像信号を受信し、元の周波数に変換した後、出力する。ＶＨＦ受信部４２は、ＶＨＦ送信部１２から送信された２３ＧＨｚ帯の映像信号を受信し、元の周波数に変換した後、出力する。通信信号送信部４３は、加入者のパーソナルコンピュータ等から供給される通信信号を２３ＧＨｚ帯の信号に変換した後、アンテナ３０を介して送信する。
【００２５】
図３は、図２に示すＵＨＦ送信部１１の詳細な構成例を示す図である。図３に示すように、ＵＨＦ送信部１１は、合成器１１１、周波数変換器１１２、発振器１１３、逓倍器１１４、発振器１１５、フィルタ１１６、発振器１１７、周波数変換器１１８、および、フィルタ１１９を主要な構成要素としている。
【００２６】
ここで、合成器１１１は、逓倍器１１４から供給される４６５ＭＨｚの信号を、センタ側装置および加入者側装置間の同期、および、当該信号のレベルを検知して利得制御等に用いるパイロット信号としてＵＨＦ入力信号に合成して出力する。周波数変換器１１２は、合成器１１１から供給される信号を、発振器１１５から供給される１ｓｔＬｏ信号（ローカル信号）に基づいて周波数変換（アップコンバート）して出力する。発振器１１３は、１５５ＭＨｚの信号を生成して出力する。
【００２７】
逓倍器１１４は、発振器１１３から供給される１５５ＭＨｚの信号を逓倍して生成する機能を有する。ここでは３逓倍する構成を示す。発振器１１３から供給される１５５ＭＨｚの信号を３逓倍して４６５ＭＨｚの信号を生成し、合成器１１１に供給する。発振器１１５は、発振器１１３から供給される１５５ＭＨｚの信号を逓倍（ここでは１０逓倍）して１５５０ＭＨｚの信号を生成し、１ｓｔＬｏ信号として周波数変換器１１２に供給する。
【００２８】
フィルタ１１６は、周波数変換器１１２から出力される信号に含まれている１５５０ＭＨｚの１ｓｔＬｏ信号を減衰して出力する。フィルタ１１６としては、例えば１５５０ＭＨｚ周辺の狭帯域のみを減衰する帯域除去フィルタを用いるようにしてもよい。発振器１１７は、発振器１１３から供給される１５５ＭＨｚの信号を逓倍して２１２５０ＭＨｚの信号を生成し、２ｎｄＬｏ信号（ローカル信号）として周波数変換器１１８に供給する。
【００２９】
周波数変換器１１８は、フィルタ１１６から出力される信号を発振器１１７から供給される２１２５０ＭＨｚの２ｎｄＬｏ信号によって周波数変換（アップコンバート）し、フィルタ１１９に供給する。フィルタ１１９は、周波数変換器１１８から供給される信号に含まれている２１２５０ＭＨｚの２ｎｄＬｏ信号を減衰して出力する。フィルタ１１９としては、例えば、２１２５０ＭＨｚ周辺の狭帯域のみを減衰する帯域除去フィルタを用いるようにしてもよい。
【００３０】
図４は、図２に示すＶＨＦ送信部１２の詳細な構成例を示す図である。図４に示すように、ＶＨＦ送信部１２は、合成器１２１、周波数変換器１２２、発振器１２３、発振器１２５、フィルタ１２６、発振器１２７、周波数変換器１２８、および、フィルタ１２９を主要な構成要素としている。
【００３１】
ここで、合成器１２１は、発振器１２３から供給される１５５ＭＨｚの信号をパイロット信号としてＶＨＦ入力信号に合成して出力する。周波数変換器１２２は、合成器１２１から供給される信号を、発振器１２５から供給される１ｓｔＬｏ信号に基づいて周波数変換（アップコンバート）して出力する。発振器１２３は、１５５ＭＨｚの信号を生成して出力する。
【００３２】
発振器１２５は、発振器１２３から供給される１５５ＭＨｚの信号を逓倍して１９２２ＭＨｚの信号を生成し、１ｓｔＬｏ信号として周波数変換器１２２に供給する。
【００３３】
フィルタ１２６は、周波数変換器１２２から出力される信号に含まれている１９２２ＭＨｚの１ｓｔＬｏ信号を減衰して出力する。フィルタ１２６としては、例えば、１９２２ＭＨｚ周辺の狭帯域のみを減衰する帯域除去フィルタを用いるようにしてもよい。発振器１２７は、発振器１２３から供給される１５５ＭＨｚの信号を逓倍して２１２５０ＭＨｚの信号を生成し、２ｎｄＬｏ信号として周波数変換器１２８に供給する。
【００３４】
周波数変換器１２８は、フィルタ１２６から出力される信号を発振器１２７から供給される２１２５０ＭＨｚの２ｎｄＬｏ信号によって周波数変換（アップコンバート）し、フィルタ１２９に供給する。フィルタ１２９は、周波数変換器１２８から供給される信号に含まれている２１２５０ＭＨｚの２ｎｄＬｏ信号を減衰して出力する。フィルタ１２９としては、例えば、２１２５０ＭＨｚ周辺の狭帯域のみを減衰する帯域除去フィルタを用いるようにしてもよい。
【００３５】
図５は、図２に示すＵＨＦ受信部４１の詳細な構成例を示す図である。図５に示すように、ＵＨＦ受信部４１は、フィルタ４１１、周波数変換器４１２、フィルタ４１３、周波数変換器４１４、発振器４１５〜４１７、分離器４１８、および、周波数変換器４１９を主要な構成要素としている。
【００３６】
ここで、フィルタ４１１は、アンテナ３０から供給される信号からＵＨＦ帯の映像信号を通過させ、それ以外を減衰して周波数変換器４１２に供給する。フィルタ４１１としては、例えば、ＵＨＦ帯のみを通過させる帯域通過フィルタを用いるようにしてもよい。周波数変換器４１２は、ＵＨＦ帯の映像信号を、発振器４１６から供給される２１２５０ＭＨｚの２ｎｄＬｏ信号によって周波数変換（ダウンコンバート）して出力する。フィルタ４１３は、周波数変換器４１２から出力される信号から２１２５０ＭＨｚの２ｎｄＬｏ信号を減衰して出力する。フィルタ４１３としては、例えば、２１２５０ＭＨｚ周辺の狭帯域のみを減衰する帯域除去フィルタを用いるようにしてもよい。
【００３７】
周波数変換器４１４は、発振器４１７から供給される１５５０ＭＨｚの１ｓｔＬｏ信号によってフィルタ４１３から供給される信号を周波数変換（ダウンコンバート）して出力する。発振器４１５は、周波数変換器４１９から供給される信号に基づいて１５５ＭＨｚの信号を生成し、発振器４１６および図８を参照して後述する通信信号送信部４３に供給する。発振器４１６は、発振器４１５から供給される１５５ＭＨｚの信号を逓倍して２１２５０ＭＨｚの信号を生成して出力する。発振器４１７は、発振器４１５から供給される１５５ＭＨｚの信号を逓倍して１５５０ＭＨｚの信号を生成して出力する。分離器４１８は、周波数変換器４１４から出力される信号に含まれている４６５ＭＨｚのパイロット信号を分離して周波数変換器４１９に供給する。周波数変換器４１９は、分離器４１８から供給される４６５ＭＨｚのパイロット信号を周波数変換して発振器４１５に供給する。
【００３８】
図６は、図２に示すＶＨＦ受信部４２の詳細な構成例を示す図である。図６に示すように、ＶＨＦ受信部４２は、フィルタ４２１、周波数変換器４２２、フィルタ４２３、周波数変換器４２４、発振器４２５〜４２７、分離器４２８、および、周波数変換器４２９を主要な構成要素としている。
【００３９】
ここで、フィルタ４２１は、アンテナ３０から供給される信号からＶＨＦ帯の映像信号を通過させ、それ以外の帯域を減衰して周波数変換器４２２に供給する。フィルタ４２１としては、例えば、ＶＨＦ帯のみを通過させる帯域通過フィルタを用いるようにしてもよい。周波数変換器４２２は、ＶＨＦ帯の映像信号を、発振器４２６から供給される２１２５０ＭＨｚの２ｎｄＬｏ信号によって周波数変換（ダウンコンバート）して出力する。フィルタ４２３は、周波数変換器４２２から出力される信号から２１２５０ＭＨｚの２ｎｄＬｏ信号を減衰して出力する。フィルタ４２３としては、例えば、２１２５０ＭＨｚ周辺の狭帯域のみを減衰する帯域除去フィルタを用いるようにしてもよい。
【００４０】
周波数変換器４２４は、発振器４２７から供給される１９２２ＭＨｚの１ｓｔＬｏ信号によってフィルタ４２３から供給される信号を周波数変換（ダウンコンバート）して出力する。発振器４２５は、周波数変換器４２９から供給される信号に基づいて１５５ＭＨｚの信号を生成し、発振器４２６に供給する。発振器４２６は、発振器４２５から供給される１５５ＭＨｚの信号を逓倍して２１２５０ＭＨｚの信号を生成して出力する。発振器４２７は、発振器４２５から供給される１５５ＭＨｚの信号を逓倍して１９２２ＭＨｚの信号を生成して出力する。分離器４２８は、周波数変換器４２４から出力される信号に含まれている１５５ＭＨｚのパイロット信号を分離して周波数変換器４２９に供給する。周波数変換器４２９は、分離器４２８から供給される１５５ＭＨｚのパイロット信号を周波数変換して発振器４２５に供給する。
【００４１】
図７は、図２に示す通信信号送信部４３の詳細な構成例を示す図である。図７に示すように、通信信号送信部４３は、周波数変換器４３１、周波数変換器４３２、発振器４３３、発振器４３４、および、フィルタ４３５を主要な構成要素としている。
【００４２】
ここで、周波数変換器４３１は、発振器４３３から供給される１９５３ＭＨｚの１ｓｔＬｏ信号に基づいて通信入力信号を周波数変換（アップコンバート）して出力する。
【００４３】
周波数変換器４３２は、周波数変換器４３１から供給される信号を発振器４３４から供給される２１２５０ＭＨｚの２ｎｄＬｏ信号に基づいて周波数変換（アップコンバート）して出力する。
【００４４】
発振器４３３は、ＵＨＦ受信部４１から供給される１５５ＭＨｚの信号を逓倍して１９５３ＭＨｚの１ｓｔＬｏ信号を生成して出力する。発振器４３４は、ＵＨＦ受信部４１から供給される１５５ＭＨｚの信号を逓倍して２１２５０ＭＨｚの２ｎｄＬｏ信号を生成して出力する。
【００４５】
フィルタ４３５は、周波数変換器４３２から出力される信号に含まれている２１２５０ＭＨｚの信号を減衰して出力する。フィルタ４３５としては、例えば、２１２５０ＭＨｚ周辺の狭帯域のみを減衰する帯域除去フィルタを用いるようにしてもよい。
【００４６】
図８は、図２に示す通信信号受信部１３の詳細な構成例を示す図である。この図８に示すように、通信信号受信部１３は、ＡＧＣ（Auto Gain Control）回路１３１、フィルタ１３２、周波数変換器１３３、発振器１３４〜１３６、フィルタ１３７、周波数変換器１３８、および、検出部１３９を主要な構成要素としている。
【００４７】
ここで、ＡＧＣ回路１３１は、アンテナ２０から供給される信号を、検出部１３９によって検出される信号が所定のレベルになるようにゲインを調整する。フィルタ１３２は、ＡＧＣ回路１３１から出力される信号から通信信号を通過させ、それ以外の信号を減衰して出力する。フィルタ１３２としては、例えば、通信信号帯のみを通過させる帯域通過フィルタを用いるようにしてもよい。
【００４８】
周波数変換器１３３は、フィルタ１３２から出力される信号を、発振器１３５から供給される２１２５０ＭＨｚの２ｎｄＬｏ信号によって周波数変換（ダウンコンバート）して出力する。
【００４９】
発振器１３４は、１５５ＭＨｚの信号を生成して出力する。発振器１３５は、発振器１３４から供給される１５５ＭＨｚの信号を逓倍して２１２５０ＭＨｚの信号にして出力する。発振器１３６は、発振器１３４から供給される１５５ＭＨｚの信号を逓倍して１９５３ＭＨｚの信号にして出力する。
【００５０】
フィルタ１３７は周波数変換器１３３から出力される信号から２１２５０ＭＨｚの信号を減衰して出力する。フィルタ１３７としては、例えば、２１２５０ＭＨｚ周辺の狭帯域のみを減衰する帯域除去フィルタを用いるようにしてもよい。周波数変換器１３８は、フィルタ１３７から出力される信号を、発振器１３６から供給される１９５３ＭＨｚの１ｓｔＬｏ信号によって周波数変換（ダウンコンバート）して出力する。
【００５１】
検出部１３９は、周波数変換器１３８から出力される信号に含まれる直流信号（パイロット信号）のレベルを検出してＡＧＣ回路１３１に供給する。
【００５２】
（Ｂ）本発明の実施形態の動作の説明
つぎに、本発明の実施形態の動作について説明する。図３に示す、ＵＨＦ送信部１１に入力される４０２〜７７０ＭＨｚのＵＨＦ帯のＩＦ映像信号（図９参照）は、合成器１１１によって４６５ＭＨｚのパイロット信号が付加され、周波数変換器１１２に供給される。周波数変換器１１２は、合成器１１１から供給される信号を、発振器１１５から供給される１５５０ＭＨｚの１ｓｔＬｏ信号によってアップコンバートし、１９５２〜２３２０ＭＨｚのＲＦＩＦ信号として出力する。フィルタ１１６は、周波数変換器１１２から出力される信号に含まれている１５５０ＭＨｚの１ｓｔＬｏ信号を減衰して出力する。周波数変換器１１８は、フィルタ１１６から供給される信号を、発振器１１７から供給される２１２５０ＭＨｚの２ｎｄＬｏ信号によって２３２０２〜２３５７０ＭＨｚの信号にアップコンバートして出力する。フィルタ１１９は、周波数変換器１１８から出力される信号に含まれる２１２５０ＭＨｚの２ｎｄＬｏ信号を減衰して出力する。フィルタ１１９から出力される信号は、アンテナ２０を介して、例えば、水平偏波された電波として送信される。
【００５３】
図４に示す、ＶＨＦ送信部１２に入力される９０〜４０２ＭＨｚのＶＨＦ帯のＩＦ映像信号（図９参照）は、合成器１２１によって１５５ＭＨｚのパイロット信号が付加され、周波数変換器１２２に供給される。周波数変換器１２２は、合成器１２１から供給される信号を、発振器１２５から供給される１９２２ＭＨｚの１ｓｔＬｏ信号によってアップコンバートし、２０１２〜２３２４ＭＨｚのＲＦＩＦ信号として出力する。フィルタ１２６は、周波数変換器１２２から出力される信号に含まれている１９２２ＭＨｚの１ｓｔＬｏ信号を減衰して出力する。周波数変換器１２８は、フィルタ１２６から供給される信号を、発振器１２７から供給される２１２５０ＭＨｚの２ｎｄＬｏ信号によって２３２６２〜２３５７４ＭＨｚの信号にアップコンバートして出力する。フィルタ１２９は、周波数変換器１２８から出力される信号に含まれる２１２５０ＭＨｚの２ｎｄＬｏ信号を減衰して出力する。フィルタ１２９から出力される信号は、アンテナ２０を介して、例えば、垂直偏波された電波として送信される。
【００５４】
図５に示す、ＵＨＦ受信部４１のフィルタ４１１は、アンテナ３０から供給される信号からアップコンバートされたＵＨＦ帯の信号（２３２０２〜２３５７０ＭＨｚの信号）を通過させ、それ以外の帯域を減衰して出力する。周波数変換器４１２は、フィルタ４１１から供給される信号を、発振器４１６から供給される２１２５０ＭＨｚの２ｎｄＬｏ信号によってダウンコンバートし、１９５２〜２３２０ＭＨｚの信号として出力する。フィルタ４１３は、周波数変換器４１２から出力される信号に含まれている２１２５０ＭＨｚの２ｎｄＬｏ信号を減衰して出力する。周波数変換器４１４は、フィルタ４１３から供給される信号を、発振器４１７から供給される１５５０ＭＨｚの１ｓｔＬｏ信号によってダウンコンバートし、４０２〜７７０ＭＨｚの信号（元のＵＨＦ帯の信号）として出力する。分離器４１８は、周波数変換器４１４から出力される信号に含まれている４６５ＭＨｚのパイロット信号を分離し、周波数変換器４１９に供給する。周波数変換器４１９は、分離器４１８から供給されるパイロット信号をダウンコンバートして所定の周波数（例えば、６ＭＨｚ）の信号として出力する。発振器４１５は、周波数変換器４１９から供給される信号に基づいて１５５ＭＨｚの信号を生成して出力する。
【００５５】
図６に示す、ＶＨＦ受信部４２のフィルタ４２１は、アンテナ３０から供給される信号からアップコンバートされたＶＨＦ帯の信号（２３２６２〜２３５７４ＭＨｚの信号）を通過させ、それ以外の帯域を減衰して出力する。周波数変換器４２２は、フィルタ４２１から供給される信号を、発振器４２６から供給される２１２５０ＭＨｚの２ｎｄＬｏ信号によってダウンコンバートし、２０１２〜２３２４ＭＨｚの信号として出力する。フィルタ４２３は、周波数変換器４２２から出力される信号に含まれている２１２５０ＭＨｚの２ｎｄＬｏ信号を減衰して出力する。周波数変換器４２４は、フィルタ４２３から供給される信号を、発振器４２７から供給される１９２２ＭＨｚの１ｓｔＬｏ信号によってダウンコンバートし、９０〜４０２ＭＨｚの信号（元のＶＨＦ帯の信号）として出力する。分離器４２８は、周波数変換器４２４から出力される信号に含まれている１５５ＭＨｚのパイロット信号を分離し、周波数変換器４２９に供給する。周波数変換器４２９は、分離器４２８から供給されるパイロット信号をダウンコンバートして所定の周波数（例えば、６ＭＨｚ）の信号として出力する。発振器４２５は、周波数変換器４２９から供給される信号に基づいて１５５ＭＨｚの信号を生成して出力する。
【００５６】
図７に示す、通信信号送信部４３の周波数変換器４３１は、例えば、図示しないパーソナルコンピュータから供給される１５〜６５ＭＨｚの通信信号を、発振器４３３から供給される１９５３ＭＨｚの１ｓｔＬｏ信号によって１９６８〜２０１８ＭＨｚにアップコンバートして出力する。周波数変換器４３２は、周波数変換器４３１から出力される信号を発振器４３４から供給される２１２５０ＭＨｚの信号によってアップコンバートして２３２１８〜２３２６８ＭＨｚの信号として出力する。フィルタ４３５は、周波数変換器４３２から出力される信号に含まれている２１２５０ＭＨｚの２ｎｄＬｏ信号を減衰して出力する。
【００５７】
ここで、ＵＨＦ送信部１１では、図９に示すように、１５５０ＭＨｚの１ｓｔＬｏ信号が２１２５０ＭＨｚの２ｎｄＬｏ信号によってアップコンバートされることで２２８００ＭＨｚの周波数に変換され、無線通信においては不要な信号であるスプリアス信号が生じる。この２２８００ＭＨｚのスプリアス信号は、送受信システムに割り当てられる２３２００〜２３６００ＭＨｚの帯域（２３ＧＨｚの通信帯域）外に位置することから、適切に減衰をしないと他の無線機器に影響を与える恐れがあり、減衰する必要がある。このため、フィルタ１１６，１１９によってこのようなスプリアスを減衰することで、帯域外の２２８００ＭＨｚのスプリアス信号を抑制している。
【００５８】
同様に、ＶＨＦ送信部１２では、図９に示すように、１９２２ＭＨｚの１ｓｔＬｏ信号が２１２５０ＭＨｚの２ｎｄＬｏ信号によってアップコンバートされることで２３１７２ＭＨｚの周波数に変換され、無線通信においては不要な信号であるスプリアス信号が生じる。この２３１７２ＭＨｚのスプリアス信号は、送受信システムに割り当てられる２３２００〜２３６００ＭＨｚの帯域（２３ＧＨｚの通信帯域）外に位置することから、適切に減衰をしないと他の無線機器に影響を与える恐れがあり、減衰する必要がある。このため、フィルタ１２６，１２９によってこのようなスプリアスを減衰することで、帯域外の２３１７２ＭＨｚのスプリアス信号を抑制している。
【００５９】
一方、通信信号送信部４３では、図９に示すように、１９５３ＭＨｚの１ｓｔＬｏ信号が２１２５０ＭＨｚの２ｎｄＬｏ信号によってアップコンバートされることで２３２０３ＭＨｚの周波数に変換され、無線通信においては不要な信号であるスプリアス信号が生じる。この２３２０３ＭＨｚのスプリアス信号は、図１０に示すように、送受信システムに割り当てられる２３２００〜２３６００ＭＨｚの帯域（図１０において破線で示す帯域）「内」に位置している。このため、この２３２０３ＭＨｚのスプリアス信号を減衰する必要がないことから、通信信号送信部４３は周波数変換器４３１と周波数変換器４３２の間に配置されるべき、１９５３ＭＨｚの１ｓｔＬｏ信号を減衰するためのフィルタを省略することができる。なお、１９５３ＭＨｚの１ｓｔＬｏ信号を減衰するためのフィルタは、１９６８ＭＨｚを通過帯域とし、１９５３ＭＨｚを減衰帯域とする必要があることから、遮断帯に割り当てられる帯域幅が１５ＭＨｚしかなく、非常に急峻な特性が必要になる。また、このような急峻な特性を有するフィルタは、高価であり、また、温度や経年変化によって特性が変化する場合がある。しかしながら、上述の回路構成を用いることで、このような急峻な特性のフィルタを省略することができる。加えて、前述した周波数配置を用いることで、簡易な構成によりこのような急峻な特性のフィルタを省略することができるため好ましい。
【００６０】
また、図７に示す、通信信号送信部４３は、ＵＨＦ受信部４１から供給される１５５ＭＨｚの信号を利用して、発振器４３３，４３４により１ｓｔＬｏ信号および２ｎｄＬｏ信号を生成している。映像信号の基準とする１５５ＭＨｚの信号は、非常に精度が高いことから、このような精度の高い信号を用いることで、安定した通信を行うことができる。また、ＵＨＦ受信部４１から供給される１５５ＭＨｚの信号を流用することで、１５５ＭＨｚの発振器を省略することができる。
【００６１】
通信信号送信部４３からアンテナ３０を介して送信される電波は、アンテナ２０によって受信され、通信信号受信部１３に供給される。通信信号受信部１３では、図８に示すように、アンテナ２０から供給される信号を、ＡＧＣ回路１３１が信号レベルを調整して出力する。フィルタ１３２は、ＡＧＣ回路１３１から出力される信号から、２３２１８〜２３２６８ＭＨｚの信号を通過し、それ以外の信号を減衰して出力する。周波数変換器１３３は、フィルタ１３２から供給される２３２１８〜２３２６８ＭＨｚの信号を、発振器１３５から供給される２１２５０ＭＨｚの２ｎｄＬｏ信号によって１９６８〜２０１８ＭＨｚの信号にダウンコンバートして出力する。フィルタ１３７は、周波数変換器１３３から供給される信号に含まれる２１２５０ＭＨｚの２ｎｄＬｏ信号を減衰して出力する。周波数変換器１３８は、フィルタ１３７から供給される信号を、発振器１３６から供給される１９５３ＭＨｚの１ｓｔＬｏ信号によって１５〜６５ＭＨｚの元の通信信号にダウンコンバートして出力する。
【００６２】
ここで、フィルタ１３２を通過する２３２００〜２３６００ＭＨｚの信号には、図１０に示すように、２３２０３ＭＨｚのスプリアス信号が含まれている。このようなスプリアス信号は、周波数変換器１３３において２１２５０ＭＨｚの信号によってダウンコンバートされ、周波数変換器１３８において１９５３ＭＨｚの信号によってダウンコンバートされ、アナログ信号として出力される。検出部１３９は、周波数変換器１３８から出力されるこのようなアナログ信号の信号レベルを検出し、信号レベルが所望の値になるように、ＡＧＣ回路１３１を制御する。通信信号送信部４３は、スプリアス信号のレベルが一定になるように制御していることから、周波数変換器１３８から出力される通信信号は信号レベルが常に一定になるように制御される。
【００６３】
以上に説明したように、本発明の実施形態によれば、通信信号送信部４３において生じるスプリアス信号が、許容された２３ＧＨｚ帯域（２３２１８〜２３２６８ＭＨｚ）内に配置されるように各部の周波数を設定したので、スプリアス信号を減衰させるための構成を省略することができる。
【００６４】
また、本発明の実施形態では、周波数変換器１３３，１３８によってダウンコンバートされたスプリアス信号の信号レベルを検出部１３９で検出して、ＡＧＣ回路１３１によって信号レベルを調整するようにしたので、例えば、環境等の影響に拘わらず、出力される通信信号の信号レベルを一定に保つことができる。
【００６５】
また、本発明の実施形態では、アップコンバートされたＵＨＦ帯の映像信号とＶＨＦ帯の映像信号を、偏波多重によって送信するようにしたので、２３２００〜２３６００ＭＨｚの４００ＭＨｚの帯域を用いて、４０２〜７７０ＭＨｚのＵＨＦ帯の映像信号と、９０〜４０２ＭＨｚのＶＨＦ帯の映像信号とを、１つのアンテナによって送受信することができる。
【００６６】
また、本発明の実施形態では、パイロット信号に基づいて、ＵＨＦ受信部４１、ＶＨＦ受信部４２、および、通信信号送信部４３が周波数変換用のローカル信号を生成するようにしたので、送信側のローカル信号に対して同期を図るだけでなく、回路構成を簡略化することができる。
【００６７】
（Ｅ）変形実施形態の説明
以上の実施形態は一例であって、本発明が上述したような場合のみに限定されるものでないことはいうまでもない。例えば、以上の実施形態における各部位の周波数は一例であって、本発明が前述した周波数のみに限定されるものではなく、例示した周波数以外の周波数を選択することも可能である。
【００６８】
また、以上の実施形態では、映像信号と通信信号を同じアンテナ２０，３０によって送受信するようにしたが、これらを別のアンテナによって送受信するようにしてもよい。
【００６９】
また、以上の実施形態では、通信信号送信部４３は、ＵＨＦ受信部４１から１５５ＭＨｚの信号の供給を受けるようにしたが、ＶＨＦ受信部４２から１５５ＭＨｚの信号の供給を受けるようにしてもよい。
【００７０】
また、以上の実施形態では、ＵＨＦ送信部１１およびＶＨＦ送信部１２が個別にパイロット信号を送信するようにしたが、ＵＨＦ送信部１１およびＶＨＦ送信部１２の一方がパイロット信号を送信し、加入者側装置４０では、ＵＨＦ送信部１１、ＶＨＦ送信部１２、および、通信信号送信部４３がこのパイロット信号を利用するようにしてもよい。
【００７１】
また、以上の実施形態では、２３２０３のスプリアス信号のみが２３ＧＨｚ帯域内に配置されるようにしたが、複数のスプリアス信号が２３ＧＨｚ帯域内に配置されるようにしてもよい。
【符号の説明】
【００７２】
１０  センタ側装置
１１  ＵＨＦ送信部
１２  ＶＨＦ送信部
１３  通信信号受信部
２０，３０  アンテナ
４０  加入者側装置
４１  ＵＨＦ受信部
４２  ＶＨＦ受信部
４３  通信信号送信部
１１１，１２１  合成器（付加手段）
１１２，１１８，１２２，１２８  周波数変換器（第１変換手段）
１１３，１１５，１１７，１２３，１２５，１２７  発振器
１１４，１２４  逓倍器
１１６，１２６  フィルタ
１１９，１２９  フィルタ（第１送信手段）
１３１  ＡＧＣ回路（第１受信手段、調整手段）
１３２，１３７  フィルタ
１３３，１３８  周波数変換器（第２変換手段）
１３４〜１３６  発振器
１３９  検出部
４１１，４２１  フィルタ（第２受信手段）
４１３，４２３  フィルタ
４１２，４１４，４２２，４２４  周波数変換器（第３変換手段）
４１５〜４１７，４２５〜４２７  発振器
４１８，４２８  分離器
４１９，４２９  周波数変換器
４３１，４３２  周波数変換器（第４変換手段）
４３３〜４３４  発振器
４３５  フィルタ（第２送信手段）
【図１】
2018148322.tif 000003
【図２】
2018148322.tif 000004
【図３】
2018148322.tif 000005
【図４】
2018148322.tif 000006
【図５】
2018148322.tif 000007
【図６】
2018148322.tif 000008
【図７】
2018148322.tif 000009
【図８】
2018148322.tif 000010
【図９】
2018148322.tif 000011
【図１０】
2018148322.tif 000012